(57)【要約】【課題】生産性に優れ、溶接強度が高く丈夫なパレットを提供する。【解決手段】平行に配置された少なくとも２本の脚材（２）と該脚材（２）上に直交配置した複数のデッキボ−ド（３）とからなるパレットであって、該脚材（２）の上端において側方に延設した固定部（４）に該デッキボ−ド（３）を点付け溶接して固定した構造を有することを特徴とするパレット（１）【選択図】　　図１【特許請求の範囲】
【請求項１】
平行に配置された少なくとも２本の脚材と該脚材上に直交配置した複数のデッキボードとからなるパレットであって、該脚材の上端において側方に延設した固定部に該デッキボードを点付け溶接して固定した構造を有することを特徴とするパレット。
【請求項２】
前記の脚材の固定部の両端に凸部を有し、該凸部に前記デッキボードを嵌合した構造を有することを特徴とする請求項１記載のパレット。
【請求項３】
前記脚材の底部の両側に設けた立上り側部が両側にテーパ状をなすことを特徴とする請求項１又は２に記載のパレット。
【請求項４】
前記脚材の両側下部に補強用リブを設けたことを特徴とする請求項１〜４のいずれか１項に記載のパレット。
【請求項５】
前記脚材の底面に水抜き穴を設けたことを特徴とする請求項１〜３のいずれか１項に記載のパレット。
【請求項６】
前記脚材の長手方向の側端にベルト掛止用孔を設け、前記脚材の長手方向の底面にベルト位置ずれ防止用の溝を設けたことを特徴とする請求項１〜５のいずれか１項に記載のパレット。
【請求項７】
前記脚材の側面の角にベルト位置ずれ防止用の溝を設けたことを特徴とする請求項１〜６のいずれか１項に記載のパレット。
【発明の詳細な説明】
【０００１】
【発明の属する技術分野】本発明は、フォークリフト等による荷役作業に使用されるパレットに関する。
【０００２】
【従来の技術】従来、金属製パレットの製造においてデッキボードを脚材に固定する際には、図９に示すようにデッキボードと脚材との接触部分の側端を溶接していた。図９はパレットの側面図であり、パレット９１は脚材９２上にデッキボード９３が直交配置され、脚材９２とデッキボード９３との接触部分の側端９４が溶接されている。この場合、脚材とデッキボードとの接触部分はすべて溶接しており、溶接箇所が多いために溶接費がかかり生産性に問題があった。また、仮に溶接部が取れた場合にはデッキボードと脚材とを固定する手段が他にないため、パレットが分解するかもしれないという不安要素があった。一方、パレット上に荷物を積載する際には荷崩れ防止のためにベルトで固定しているが、運搬中にベルトがずれることが多く荷崩れを完全に防止することができなかった。
【０００３】
【発明が解決しようとする課題】
本発明は、生産性に優れ、溶接強度が高く、かつ構造的に強度が強く丈夫なパレットを提供することを目的とする。
【０００４】
【課題を解決するための手段】
本発明者らは鋭意研究を重ねた結果、脚材の上端に設けられた矩形の固定部にデッキボードを点付け溶接して固定することにより、溶接箇所を少なくすることができ、しかも脚材の固定部に設けられた孔から直接デッキボードに溶接することにより溶接強度の高い丈夫なパレットを提供できることを見出した。本発明はこの知見に基づきなされるに至ったものである。
【０００５】
すなわち本発明は、
（１）平行に配置された少なくとも２本の脚材と該脚材上に直交配置した複数のデッキボードとからなるパレットであって、該脚材の上端において側方に延設した固定部に該デッキボードを点付け溶接して固定した構造を有することを特徴とするパレット、
（２）前記の脚材の固定部の両端に凸部を有し、該凸部に前記デッキボードを嵌合した構造を有することを特徴とする（１）項に記載のパレット、
（３）前記脚材の底部の両側に設けた立上り側部が両側にテーパ状をなすことを特徴とする（１）又は（２）項に記載のパレット、
（４）前記脚材の両側下部に補強用リブを設けたことを特徴とする（１）〜（４）のいずれか１項に記載のパレット、
（５）前記脚材の底面に水抜き穴を設けたことを特徴とする（１）〜（３）のいずれか１項に記載のパレット、
（６）前記脚材の長手方向の側端にベルト掛止用の孔を設け、前記脚材の長手方向の底面にベルト位置ずれ防止用の溝を設けたことを特徴とする（１）〜（５）のいずれか１項に記載のパレット、および
（７）前記脚材の側面の角にベルト位置ずれ防止用の溝を設けたことを特徴とする（１）〜（６）のいずれか１項に記載のパレットを提供するものである。
【０００６】
【発明の実施の形態】
以下、本発明の好ましい実施の態様について、添付の図面に基づいて詳細に説明をする。図１（ａ）は本発明のパレットの好ましい一実施態様を示す平面図であり、図１（ｂ）は本発明のパレットの好ましい一実施態様を示す側面図である。パレット１は、脚材２上にデッキボード３が直交配置された構造を有する。１枚のパレットを構成する脚材２及びデッキボード３の本数は特に制限されないが、脚材２はパレットを安定して支えるために少なくとも２本必要である。脚材２及びデッキボード３の原材料にはアルミニウムや鉄などの金属製が好ましい。
【０００７】
脚材２の上端には、好ましくは形状矩形の固定部４が設けられており、固定部４には溶接用の孔（溶接部）５が設けられている。この溶接部５を介してデッキボード３が固定部４に点付け溶接もしくはレ−ザ−溶接され固定される。溶接は、溶接部５の孔からデッキボード３に向けて行われる。点付け溶接のためピンポイントで溶接が行われる。孔を利用して溶接する為に、従来の溶接と異なり溶接強度が向上し、また、溶接ポイントが一定化することにより、作業の向上、溶接の信頼性が向上し、溶接箇所が少なく溶接費の軽減が可能となる。また、デッキボード３に溶接部５の孔から直接溶接するので溶接強度が高く、溶接品質を高品質で安定することができる。したがって、溶接強度が高く丈夫なパレットを安価に製造することができる。
【０００８】
また、上記の点付け溶接に加え、脚材２の固定部４の両端に凸部６を設け、該凸部６にデッキボード３を嵌合した構造とすることが好ましい。この構造により、仮に溶接がはがれたとしても凸部６にデッキボード３が嵌合されているので、デッキボード３が脚材２から容易に外れることはない。
【０００９】
脚材について詳細に説明する。本発明の脚材は金属板を折り曲げ加工して成形したものである。折り曲げ加工前の脚材の展開図を図２に、成形後の脚材の斜視図を図３に、成形後の脚材の正面図を図４に、成形後の脚材の側面図を図５にそれぞれ示す。
【００１０】
図２は折り曲げ加工前の脚材の展開図である。脚材２１には固定部２２、溶接部２３、凸部２４、水抜き穴２５、及びベルト位置ずれ防止部２６、ベルト引っかけ穴が設けられている。固定部２２、溶接部２３、凸部２４、及び水抜き穴２５の個数は特に制限されず、本発明の目的を考慮して適宜設定される。水抜き穴２５は脚材の底部に設けられ、脚材内部に水が溜まるのを防止する役割を果たすと共に錆にくくする効果も果たす。ベルト位置ずれ防止部２６は、脚材の両端に設けられベルトの位置ずれを防止する役割を果たす。ベルト引っかけ穴２６ａ脚材の両端に設けられ、ベルト両端に簡易に引っかけられ荷崩れの防止の役割も果たす。
【００１１】
以下、図３〜５を参照しながら説明する。図３は成形後の脚材の斜視図であり、図４は成形後の脚材の正面図であり、図５は成形後の脚材の側面図である。脚材３１、４１、５１は正面から見て概Ｗ字型に成形される。成形時に脚材の両側面にテーパ（傾斜）を設けることが好ましい。テーパは脚材の上方開口部が底部よりも広くなるようにするが、これにより強度を増加させることができるように適宜な程度調節する。したがって脚材を薄くすることができ、材料費削減や軽量化が可能となる。脚材の底部に対する立上り側部の角度は特に好ましくは１０５°前後である。また、重量のあるものを積むと脚材が変形しやすいので、脚材の強度を増すためにリブ３２、４２を脚材の側面底部に設けることも好ましい。
【００１２】
脚材の底部には、長手方向の側端に（十字形にベルト締め）ベルト位置ずれ防止用の溝３３、４３、５３、６４を設けるのが好ましい。この溝は脚材の折り曲げ加工によって形成される。また、脚材の両端にはベルト掛止用の孔３４、４４、２６ａを設けるのが好ましい。脚材の両端の底部に設けられた溝３３、４３、５３、６４にベルトを通して荷物を固定することにより、ベルトの位置ずれを防ぎ荷崩れを防止することができる。また両端の設けられたベルト掛止用の孔３４、４４、２６ａにベルトを掛止して十字形状に固定しても荷崩れの防止もできる。脚材の両端に設けられたベルト位置ずれ防止部３５、４５、５５中に設けられ、ベルト位置ずれ防止部３５、４５、５５は成形時に垂直に折り曲げられる。この際、折り曲げ部３６、４６、５６は、角があるとベルトに傷を生じてしまうので、丸く曲げる。また、脚材の長手方向に沿ってベルト位置ずれ防止用の溝３７を設け十字形状に閉めるのが好ましい。図６にパレット上に荷物をベルトで固定した好ましい一実施態様を示す。図６は荷物を固定した状態のパレットの斜視図である。パレット６１上に荷物６２が積載され、ベルト６３で固定されている。ベルト６３はベルト位置ずれ防止用の溝６４、６５を通して荷物６２を固定しているので、ベルト６３の位置がずれないため荷崩れが起こらない。
【００１３】
本発明の別の好ましい一実施態様として、デッキボードと脚材との接合手段として、点付け溶接の他にスポット溶接方式、かしめ方式などを用いることもできる。図７はかしめ方式を用いた一実施態様を示す側面図である。図７（ａ）は接合前を示し、図７（ｂ）は接合後を示す。この方式では、まずデッキボード７３の所定箇所に穴（図示せず）を開け、脚材７２のこれに対応する箇所に突起部７４を設ける。次に脚材７２の突起部７４をデッキボード７３に設けられた穴に貫通させる。貫通した突起部７４をつぶして脚材７２にデッキボード７３を固定しパレット７１を形成する。一方、図８はスポット溶接方式を用いた一実施態様を示す側面図である。図８は溶接後を示す。この方式では、まずデッキボード８３の所定箇所に対応する箇所に溶接部８４を設ける。次に脚材８２の溶接部８４をデッキボード８３に設けられた溶接部にスポット溶接し貫通させる。貫通した溶接部８４を脚材８２にデッキボード８３を固定しパレット８１を形成する。
【００１４】
【発明の効果】
本発明のパレットは、デッキボードと脚材とを構造的に、はめ込み、孔部を溶接することにより、溶接強度を向上させ全体の強度が向上し、溶接箇所が少なく経済的に製造することができる。また、脚材にテーパやリブを設けることにより強度が増すので、板圧を薄くでき軽量化、コストの軽減につながることができる。また、本発明のパレットは、ベルト掛止用孔又は溝を有するため、ベルトがずれず荷崩れしにくく、梱包作業の向上や、ベルトの保護にもなる。
【図面の簡単な説明】
【図１】図１（ａ）は本発明のパレットの好ましい一実施態様を示す平面図であり、図１（ｂ）は本発明のパレットの好ましい一実施態様を示す側面図である。
【図２】図２は折り曲げ加工前の脚材の展開図である。
【図３】図３は成形後の脚材の斜視図である。
【図４】図４は成形後の脚材の正面図である。
【図５】図５は成形後の脚材の側面図である。
【図６】図６は荷物を固定した状態のパレットの斜視図である。
【図７】図７はかしめ方式を用いた一実施態様を示す側面図である。
【図８】図８はスポット溶接方式を用いた一実施態様を示す側面図である。
【図９】図９は従来のパレットの側面図である。
【符号の説明】
１　パレット
２　脚材
３　デッキボード
４　固定部
５　溶接部
６　凸部
２５　水抜き穴
３２　リブ
３３　ベルト位置ずれ防止用の溝
３４　ベルト位置ずれ掛止用の孔
３７　ベルト位置ずれ防止用の溝
【図１】
2004067225.tif 000002
【図２】
2004067225.tif 000003
【図３】
2004067225.tif 000004
【図４】
2004067225.tif 000005
【図５】
2004067225.tif 000006
【図６】
2004067225.tif 000007
【図７】
2004067225.tif 000008
【図８】
2004067225.tif 000009
【図９】
2004067225.tif 000010